(57)【要約】【課題】  コーティング液の漏出を防止し、歩留り良く錠剤へコーティング処理することができる間欠スプレー型錠剤コーティング装置の提供。【解決手段】  コーティングパンと給液タンクとの間にコーティング液循環路を配設し、かつ当該コーティング液循環路に、非スプレー時にコーティングパンを経由することなくコーティング液を循環せしめるバイパス路を配設した間欠スプレー型錠剤コーティング装置。【選択図】  図１
2005342678.tif 000002
【特許請求の範囲】
【請求項１】
コーティングパンと給液タンクとの間にコーティング液循環路を配設し、かつ当該コーティング液循環路に、非スプレー時にコーティングパンを経由することなくコーティング液を循環せしめるバイパス路を配設したことを特徴とする間欠スプレー型錠剤コーティング装置。
【請求項２】
バイパス路が、コーティングパンへの入路部に介在設置された三方弁と、コーティングパンからの出路部に介在設置された逆止弁の作動により開閉されるものであることを特徴とする請求項１記載の間欠スプレー型錠剤コーティング装置。
【発明の詳細な説明】
【技術分野】
【０００１】
本発明は、間欠スプレー型錠剤コーティング装置に関する。
【背景技術】
【０００２】
間欠スプレー型錠剤コーティング装置は、スプレー・ポーズ・乾燥を予め設定された回数繰り返すことによりコーティング液を錠剤にコーティングする装置である。
【０００３】
従来、斯かる間欠スプレー型錠剤コーティング装置は、一般に図４に示される如く、コーティングパン１０と給液タンク２０との間にコーティング液循環路３０を配設して構成されていた。
【０００４】
而して、斯かる従来の間欠スプレー型錠剤コーティング装置は、スプレー時はもとよりポーズ及び乾燥時においてもコーティング液を循環路３０中で循環せしめるものであった。これは、非スプレー時にコーティング液の循環を停止すると、コーティング液が通常分散液であるため、コーティング液に分離が生じ、配管内で液圧が上昇したり、液量が変化してトラブルの原因となるからである。
【０００５】
その結果、コーティング液がコーティングパン１０内を常時流動している状態となるため、スプレーガンの劣化や循環路３０を構成するチューブの接続部の破損等によりコーティングパン１０内にコーティング液が漏出する機会が高まり、往々にして不良品（錠剤）が発生してしまうと云う問題があった。
【発明の開示】
【発明が解決しようとする課題】
【０００６】
本発明は、上記の如き従来の問題に鑑みてなされたものであり、コーティング液の漏出を防止し、歩留り良く錠剤へコーティング処理することができる間欠スプレー型錠剤コーティング装置を提供することを課題としている。
【課題を解決するための手段】
【０００７】
本発明間欠スプレー型錠剤コーティング装置は、コーティングパンと給液タンクとの間にコーティング液循環路を配設し、かつ当該コーティング液循環路に、非スプレー時にコーティングパンを経由することなくコーティング液を循環せしめるバイパス路を配設することによって上記課題を解決したものである。
【発明の効果】
【０００８】
本発明によれば、スプレー時には通常のコーティング液循環路により、コーティング液がコーティングパン内に導入されるものの、非スプレー時、すなわちポーズ及び乾燥時には、コーティング液はコーティングパンを経由しないバイパス路により循環するため、コーティングパン内にコーティング液が導入されることはない。従って、従来の如きコーティング液のコーティングパン内への漏出の恐れは少なく、自ずと歩留りの良い錠剤へのコーティング処理が可能となる。
【発明を実施するための最良の形態】
【０００９】
本発明において、バイパス路の開閉、すなわちスプレー時にバイパス路を閉止し、非スプレー時にバイパス路を開通する具体的手段はその如何を問わないが、コーティングパンへの入路部に介在設置せしめた三方弁と、コーティングパンからの出路部に介在設置せしめた逆止弁の作動により行なうのが簡便である。
【実施例】
【００１０】
以下一実施例を示す図面と共に本発明を更に説明する。
【００１１】
図１は本発明間欠スプレー型錠剤コーティング装置の概略構成説明図である。
該図１において、１０はコーティングパン、また２０は給液タンクで、当該コーティングパン１０と給液タンク２０との間にはコーティング液循環路３０が配設されている。
【００１２】
コーティング液循環路３０は、コーティングパン１０への入路部３０ａとコーティングパン１０からの出路部３０ｂから成り、コーティングパン１０外の入路部３０ａと出路部３０ｂ間に、非スプレー時にコーティングパン１０を経由することなくコーティング液を循環せしめるバイパス路４０が配設されている。
【００１３】
バイパス路４０は、図２及び図３に示す如く、入路部３０ａ側に介在設置された三方弁４１と出路部３０ｂ側に介在設置された給液タンク２０方向のみに開通している逆止弁４２の作動により、スプレー時に開通し、非スプレー時には閉止されるようになっている。尚、三方弁４１の作動、すなわちバイパス路４０の開閉は、コンピュータ（図示せず）によってコーティングパン１０の非スプレー時と、スプレー時に連動してそれぞれ開通・閉止するように制御されている。
【００１４】
尚、３１は液送ポンプ、３２は流量計で、それぞれ三方弁４１より給液タンク２０側の入路部３０ａに設置されている。
【００１５】
次に、斯かる本発明装置におけるコーティング液の流れを説明する。
まず、図２に示す如く、コーティングパン１０内のスプレー時においては、三方弁４１がコーティングパン１０方向に開通してバイパス路４０を閉止せしめているので、コーティング液は給液タンク２０→入路部３０ａ→三方弁４１→コーティングパン１０、出路部３０ｂ→逆止弁４２→出路部３０ｂ→給液タンク２０と循環する。
【００１６】
他方、コーティングパン１０のポーズ及び乾燥時、すなわち非スプレー時においては、図３に示す如く、三方弁４１がコーティングパン１０方向を閉止してバイパス路４０を開通せしめていると共に、逆止弁４２の作動により出路部３０においてコーティングパン１０方向への流れが閉止されているので、コーティング液は給液タンク２０→入路部３０ａ→三方弁４１→バイパス路４０→出路部３０ｂ→給液タンク２０と循環する。
【図面の簡単な説明】
【００１７】
【図１】本発明装置の概略構成説明図。
【図２】本発明装置におけるスプレー時のコーティング液の流れを示す模式説明図。
【図３】本発明装置における非スプレー時のコーティング液の流れを示す模式説明図。
【図４】従来装置の概略構成説明図。
【符号の説明】
【００１８】
１０：コーティングパン
２０：給液タンク
３０：コーティング液循環路
３０ａ：入路部
３０ｂ：出路部
４０：バイパス路
４１：三方弁
４２：逆止弁
【図１】
2005342678.tif 000003
【図２】
2005342678.tif 000004
【図３】
2005342678.tif 000005
【図４】
2005342678.tif 000006
【手続補正書】
【提出日】平成16年6月15日(2004.6.15)
【手続補正１】
【補正対象書類名】図面
【補正対象項目名】図１
【補正方法】変更
【補正の内容】
【図１】
2005342678.tif 000007
【手続補正２】
【補正対象書類名】図面
【補正対象項目名】図２
【補正方法】変更
【補正の内容】
【図２】
2005342678.tif 000008
【手続補正書】
【提出日】平成16年6月17日(2004.6.17)
【手続補正１】
【補正対象書類名】図面
【補正対象項目名】図２
【補正方法】変更
【補正の内容】
【図２】
2005342678.tif 000009
【手続補正２】
【補正対象書類名】図面
【補正対象項目名】図４
【補正方法】変更
【補正の内容】
【図４】
2005342678.tif 000010